(57)【要約】【課題】閉スロットタイプでコギングトルクをより低下させることができる永久磁石型回転機を提供する。【解決手段】永久磁石型回転機であって、固定子３は、環状のヨーク６と、該ヨーク６の円周方向に等間隔で配置され、当該ヨーク６から半径方向内側に突出された複数の磁極ティース７とを有し、前記磁極ティース７は、前記ヨークに連結される磁脚部７ａと、該磁脚部７ａの先端に形成された円周方向に突出する鍔部７ｂとを有し、隣接する磁極ティースの前記鍔部７ｂが外周側に円弧状スロット部１１を形成するように互いに連結され、前記円弧状スロット部１１の中心点が前記鍔部内周側の結合点と鍔部根元とを結ぶ直線の二等分線上に位置し、前記固定子内径の前記永久磁石１極分の長さを単位周長とし、前記円弧状スロット部１１の半径を前記単位周長で除した値を、０．３５以上で０．７５以下に設定した。【選択図】  図４
2010284024.tif 000002
【特許請求の範囲】
【請求項１】
励磁コイルを巻装した固定子と、該固定子と所定の空隙を隔てて対向して回転し表面に永久磁石を配設した回転子コアを有する回転子とを備えた永久磁石型回転機であって、
前記固定子は、環状のヨークと、該ヨークの円周方向に等間隔で配置され、当該ヨークから半径方向内側に突出された複数の磁極ティースとを有し、
前記磁極ティースは、前記ヨークに連結される磁脚部と、該磁脚部の先端に形成された円周方向に突出する鍔部とを有し、隣接する磁極ティースの前記鍔部が外周側に円弧状スロット部を形成するように互いに連結され、
前記円弧状スロット部の中心点が前記鍔部内周側の結合点と鍔部根元とを結ぶ直線の二等分線上に位置し、
前記固定子内径の前記永久磁石１極分の長さを単位周長とし、前記円弧状スロット部の半径を前記単位周長で除した値を、０．３５以上で０．７５以下に設定したことを特徴とする永久磁石型回転機。
【請求項２】
励磁コイルを巻装した固定子と、該固定子と所定の空隙を隔てて対向して回転し表面に永久磁石を配設した回転子コアを有する回転子とを備えた永久磁石型回転機であって、
前記固定子は、環状のヨークと、該ヨークの円周方向に等間隔で配置され、当該ヨークから半径方向内側に突出された複数の磁極ティースとを有し、
前記磁極ティースは、前記ヨークに連結される磁脚部と、該磁脚部の先端に形成された円周方向に突出する鍔部とを有し、隣接する磁極ティースの前記鍔部が外周側に円弧状スロット部を形成するように互いに連結され、
前記円弧状スロット部の中心点が前記鍔部内周側の結合点と鍔部根元とを結ぶ直線の二等分線上に位置し、
隣接する前記磁極ティースの内周面の円周方向中心点間の長さを１スロットピッチとし、固定子内径の前記永久磁石１極分の長さを単位周長とし、
前記鍔部の付け根高さを１スロットピッチで除した値をＡとし、前記円弧状スロット部の半径を前記単位周長で除した値をＢとしたとき、
０．０６≦Ａ×Ｂ≦０．１４
の関係が成立するように構成したことを特徴とする永久磁石型回転機。
【請求項３】
前記回転子の永久磁石の磁極数を２ｎ（ｎは正の整数）としたとき、固定子のスロット数を３ｎとし、前記励磁コイルは前記磁極ティースに１つのコイルが巻装された集中巻とされていることを特徴とする請求項１又は２に記載の永久磁石回転機
【発明の詳細な説明】
【技術分野】
【０００１】
本発明は、励磁コイルを巻装した固定子と、この固定子と所定の空隙を隔てて対向して回転し、表面に永久磁石を配設した回転子コアを有する回転子とを備えた永久磁石型回転機に関する。
【背景技術】
【０００２】
この種の永久磁石型回転機ではコギングトルクと呼ばれる一種のトルク脈動が発生することが良く知られている。永久磁石型回転機においてコギングトルクが大きい場合、回転機の制御性能を悪化させたり、騒音を発生したりといった問題が生じる。
永久磁石型回転機の固定子には、励磁コイルを巻装するスロットが閉じた閉スロットタイプ（例えば、特許文献１参照）と、スロットの回転子側が開口した開スロットタイプ（例えば、特許文献２参照）とがある。
【０００３】
開スロットタイプでは、図８（ａ）〜（ｃ）に示すように、固定子コア１０１がヨーク１０２とこのヨークの内径側における円周方向の中心部から半径方向に突出する磁極ティース１０３とで構成され、磁極ティース１０３がヨーク１０２に連結される磁脚部１０４とその内周端に設けた円周方向に突出する鍔部１０５とを備えている。そして、隣接する磁極ティース１０３間にスロット１０６が形成され、隣接する磁極ティース１０３の鍔部１０５間に開口部１０７が形成されている。
【０００４】
一方、回転子１０８は、固定子の鍔部１０５に所定の空隙を介して対向して回転自在に配設され、回転子コア１０９の外周側表面に永久磁石１１０が円周方向に隣接する永久磁石同士が異極性となるように配置されている。図８（ａ）〜（ｃ）では回転子１０８の永久磁石１１０の１極分が記載されている。
このような開スロットタイプでは、回転子１０８が例えば反時計方向に回転する場合を考えると、図８（ａ）及び（ｃ）に示すように、磁極ティース１０３の鍔部１０５の円周方向の中央部と回転子１０８の永久磁石１１０の円周方向の中央部とが略一致している状態では、永久磁石１１０で発生する磁束が鍔部１０５に流れ易く、磁気抵抗が小さくなる。
【０００５】
そして、図８（ａ）の状態から、回転子１０８が反時計方向に回転して、図８（ｂ）に示すように、永久磁石１１０の円周方向の中心部が開口部１０７の円周方向の中心近傍に位置する状態となると、永久磁石１１０が開口部１０７に対向することにより、永久磁石１１０で発生する磁束が鍔部１０５に流れにくくなり、磁気抵抗が高くなる。このため、回転子１０８の回転に応じて磁気抵抗が変化することになり、コギングトルクが発生する。
【０００６】
この回転子の回転によって磁気抵抗が変化することは、閉スロットタイプでも同じ傾向である。
磁気抵抗の変化幅が広いほどコギングトルクが大きくなるため、磁気抵抗の変化が少なくなるような形状とすることで、コギングトルクを低減することができる。
このために、閉スロットタイプで磁極ティース先端の楔部のコイル側を円弧状形状とし、楔付け根と先端を結ぶ線の垂直二等分線上に円弧の中心をおくことにより、特許文献１に記載されている開スロットタイプに比較してコギングトルクを低減させることが知られている（例えば、特許文献２参照）。
【先行技術文献】
【特許文献】
【０００７】
【特許文献１】特許第３１０７１７７号公報
【特許文献２】特開２００８−１９９８３８号公報
【発明の概要】
【発明が解決しようとする課題】
【０００８】
しかしながら、特許文献２に記載された従来例にあっては、円弧状スロット部を形成することにより、特許文献１に記載された従来例に比較してコギングトルクを半分程度に低減することができることは開示されているが、それ以上の解析を行っておらず、低コギングトルク化のために必要な条件を提示するまでには至っていないのが実状である。
そこで、本発明は、このような実状に鑑みてなされたものであって、閉スロットタイプでコギングトルクをより低下させることができる永久磁石型回転機を提供することを目的としている。
【課題を解決するための手段】
【０００９】
上記目的を達成するために、本発明の一の形態に係る永久磁石型回転機は、励磁コイルを巻装した固定子と、該固定子と所定の空隙を隔てて対向して回転し表面に永久磁石を配設した回転子コアを有する回転子とを備えた永久磁石型回転機であって、前記固定子は、環状のヨークと、該ヨークの円周方向に等間隔で配置され、当該ヨークから半径方向内側に突出された複数の磁極ティースとを有し、前記磁極ティースは、前記ヨークに連結される磁脚部と、該磁脚部の先端に形成された円周方向に突出する鍔部とを有し、隣接する磁極ティースの前記鍔部が外周側に円弧状スロット部を形成するように互いに連結され、前記円弧状スロット部の中心点が前記鍔部内周側の結合点と鍔部根元とを結ぶ直線の二等分線上に位置し、前記固定子内径の前記永久磁石１極分の長さを単位周長とし、前記円弧状スロット部の半径を前記単位周長で除した値を、０．３５以上で０．７５以下に設定したことを特徴としている。
【００１０】
また、本発明の他の形態に係る永久磁石型回転機は、励磁コイルを巻装した固定子と、該固定子と所定の空隙を隔てて対向して回転し表面に永久磁石を配設した回転子コアを有する回転子とを備えた永久磁石型回転機であって、前記固定子は、環状のヨークと、該ヨークの円周方向に等間隔で配置され、当該ヨークから半径方向内側に突出された複数の磁極ティースとを有し、前記磁極ティースは、前記ヨークに連結される磁脚部と、該磁脚部の先端に形成された円周方向に突出する鍔部とを有し、隣接する磁極ティースの前記鍔部が外周側に円弧状スロット部を形成するように互いに連結され、前記円弧状スロット部の中心点が前記鍔部内周側の結合点と鍔部根元とを結ぶ直線の二等分線上に位置し、隣接する前記磁極ティースの内周面の円周方向中心点間の長さを１スロットピッチとし、固定子内径の前記永久磁石１極分の長さを単位周長とし、前記鍔部の付け根高さを１スロットピッチで除した値をＡとし、前記円弧状スロット部の半径を前記単位周長で除した値をＢとしたとき、０．０６≦Ａ×Ｂ≦０．１４の関係が成立するように構成したことを特徴としている。
【００１１】
また、本発明の他の形態に係る永久磁石型回転機は、前記回転子の永久磁石の磁極数を２ｎ（ｎは正の整数）としたとき、固定子のスロット数を３ｎとし、前記励磁コイルは前記磁極ティースに１つのコイルが巻装された集中巻とされていることを特徴としている。
【発明の効果】
【００１２】
本発明によれば、永久磁石型回転機における固定子の磁極ティースによって形成される円弧状スロット部の半径を、固定子内径の回転子の永久磁石１極分の長さを単位周長で除した値を０．３５以上で０．７５以下に設定することにより、低コギングトルク化することができると共に、永久磁石に台形波状着磁領域を形成したときの上底部角度のバラツキによるコギングトルクの変動を抑制することができる。
【００１３】
また、隣接する前記磁極ティースの内周面の円周方向中心点間の長さを１スロットピッチとし、固定子内径の前記永久磁石１極分の長さを単位周長とし、前記鍔部の付け根高さを１スロットピッチで除した値をＡとし、前記円弧状スロット部の半径を前記単位周長で除した値をＢとしたとき、０．０６≦Ａ×Ｂ≦０．１４の関係が成立するように構成することにより、上記と同様の効果を得ることができる。
【図面の簡単な説明】
【００１４】
【図１】本発明の一実施形態に係る永久磁石型回転機を示す軸方向端面図である。
【図２】図１の固定子を示す展開図である。
【図３】図１の回転子の永久磁石の着磁状態を示す展開図である。
【図４】図１の回転子の拡大図である。
【図５】Ａ＝０．１８５に設定したときの永久磁石の台形波着磁領域の上底部角度とコギングトルクとの関係を示す特性線図である。
【図６】Ａ＝０．１６３に設定したときの永久磁石の台形波着磁領域の上底部角度とコギングトルクとの関係を示す特性線図である。
【図７】Ａ＝０．１３８に設定したときの永久磁石の台形波着磁領域の上底部角度とコギングトルクとの関係を示す特性線図である。
【図８】従来例の固定子と回転子との位置関係を示す部分拡大部である。
【発明を実施するための形態】
【００１５】
以下、図面を参照して本発明の永久磁石型回転機の実施形態について詳細に説明する。
図１は本発明を永久磁石型同期回転機（電動機）に適用した場合の一実施形態を示す軸方向端面図である。この図１において、永久磁石型同期回転機１は表面磁石式同期回転機で構成されている。この永久磁石型同期回転機１は、円筒状の積層鋼板で形成された固定子３を有し、この固定子３の内周側には所定のエアギャップを介して対向する同様に積層鋼板で形成された回転子４が配置されている。この回転子４は回転軸５に支持されて回転自在に配置されている。
【００１６】
固定子３は、図２で展開図示するように、円筒状のヨーク６と、このヨーク６の内周面側に半径方向内方に延長し、且つ円周方向に等間隔で配設された９個の磁極ティース７とで構成される固定子コア８を有する。
ヨーク６の内周面と隣接する磁極ティース７との間に励磁コイル９を集中巻で巻装するスロット１０が形成されている。
【００１７】
ここで、磁極ティース７は、ヨーク６に一体に固定されて一定幅を有する磁脚部７ａと、この磁脚部７ａの先端に形成された円周方向に突出する鍔部７ｂとで略Ｔ字状に構成されている。
そして、磁極ティース７の鍔部７ｂは、隣接する磁極ティース７の鍔部７ｂの連結部７ｃにスロット１０の一部となる円弧状スロット部１１を形成するように内周面が円筒状に形成されている。
【００１８】
この円弧状スロット部１１は、図２に示すように、各磁極ティース７の鍔部７ｂで形成される円弧部の曲率中心点Ｓ１が、鍔部７ｂの連結点ｐと鍔部７ｂの磁脚部７ａとの連結点ｑとを結ぶ直線Ｌ１の垂直２等分線Ｌ２上に位置するように形成され、この曲率中心点Ｓ１から連結点ｐ及びｑを通る半径Ｒの円弧とされている。
また、回転子４は、円筒状の回転子コア１３の外周面に、円周方向に隣接する磁極が異極性となるように例えば６極構成の永久磁石１４が配設された構成を有する。ここで、永久磁石１４は希土類磁石で構成されている。そして、永久磁石４は、図３に示すように、外周側の上底部１５ａの長さβに対して内周側の長さが上底部長さβに円周方向両側の傾斜着磁部の長さαを加算した長さとなる台形波状着磁領域１５が形成されている。また、永久磁石１４は、図４に示すように、回転子コア１３の中心軸から上底部１５ａの円周方向の両端間を結ぶ線のなす上底部角度をθｍとし、その両側の長さαを有する傾斜着磁部の円周方向の両端間を結ぶ線のなす角度をθａとして設定されている。
【００１９】
そして、図２に示すように、固定子３の内周面における隣接する磁極ティースの円周方向の中心点間の長さすなわち１スロットピッチをＳｐとし、固定子３の内周面から鍔部７ｂの根元となる磁脚部７ａとの連結点ｑ迄の付け根高さをＫｔとし、固定子３の内径の永久磁石１４の１極分の長さを単位周長とし、鍔部７ｂの付け根高さＫｔを１スロットピッチＳｐで除した値をＡとし、円弧状スロット部１１の半径Ｒを単位周長で除した値をＢとしたとき、Ａ×Ｂの値が、
０．０６≦Ａ×Ｂ≦０．１４      …………（１）
の関係が成立するように構成されている。
【００２０】
ここで、Ａ×Ｂを上記（１）式で設定する理由は、本発明者等がＡ及びＢを種々変更すると共に、永久磁石１４の上底部角度θｍを種々変更して磁界解析シミュレーションを行った結果、Ａ×Ｂの値を上記（１）式が成立するように設定することにより、コギングトルクを低減させることができることを見出した。
すなわち、前記Ａを０．１８５、０．１６３及び０．１３８の３つを選択し、各ＡについてＢの値をパラメータとして永久磁石１４の上底部角度θｍを種々変更して磁界解析シミュレーションを行った結果、図５〜図６に示す解析結果が得られた。
【００２１】
ここで、Ｂについては、円弧状スロット部１１の半径Ｒを、固定子内径の永久磁石１４の１極分の長さの単位周長の０．２５倍、０．３５倍、０．５０倍、０．７５倍に設定ことにより、０．２５、０．３５、０．５０、０．７５に設定した。
そして、Ａ＝０．１８５とした場合の解析結果は、図５に示すように、Ｂを０．２５に設定して、Ａ×Ｂ＝０．０５（０．１８５×０．２５）に設定した場合には、実線図示のように、永久磁石１４の上底部角度θｍが電気角１０５度付近で大きなコギングトルクとなり、その後上底部角度θｍの増加に応じて急激にコギングトルクが減少し、上底部角度θｍが１３２度程度でコギングトルクが最小値となり、その後上底部角度θｍの増加に応じてコギングトルクが急激に増加する特性曲線となった。
【００２２】
また、Ａ×Ｂ＝０．０６（０．１８５×０．３５）に設定した場合には、破線図示のように、永久磁石１４の上底部角度θｍが電気角１０５度であるときに、上述したＡ×Ｂ＝０．０５の場合に比較して大幅に小さなコギングトルクとなり、その後上底部角度θｍが増加するにつれてコギングトルクが緩やかに減少し、上底部角度θｍが１１０度程度で最小値をとなり、その後上底部角度θｍが増加するにつれて緩やかにコギングトルクが上昇する特性曲線となった。
【００２３】
さらに、Ａ×Ｂ＝０．０９（０．１８５×０．５０）に設定した場合には、一点鎖線図示のように、永久磁石１４の上底部角度θｍが電気角１０５度付近から上底部角度θｍの増加に応じて緩やかに増加する特性曲線となり、Ａ×Ｂ＝０．１４（０．１８５×０．７５）とした場合にも、二点鎖線図示のように、永久磁石１４の上底部角度θｍが電気角で１０５度付近から上底部角度θｍの増加に応じて緩やかに増加する特性曲線となった。
【００２４】
この結果、Ａを０．１８５に設定した場合には、Ｂを０．２５に設定したＡ×Ｂ＝０．０５とする場合には、永久磁石１４の上底部角度θｍの変化によるコギングトルクの変動幅が非常に大きく、実際に永久磁石１４を回転子コア１３の外周面に固定したときの各永久磁石１４の上底部角度θｍのバラツキによってコギングトルクの変動量が大きくなる。これに対して、円弧状スロット部１１の半径Ｒを単位周長の０．３５倍、０．５０及び０．７５倍とした場合には、永久磁石１４の上底部角度θｍの変化によるコギングトルクの変動幅が小さく、回転子コア１３に固定した永久磁石１４の上底部角度θｍのバラツキがあってもコギングトルクの変動量を小さく抑制することができ、低コギングトルク化を図ることができる。
【００２５】
このような低コギングトルク化は、鍔部７ｂの内周端側の円弧状スロット部１１を滑らかな断面積変化に形成することにより、各磁極ティース７の鍔部７ｂの内周側の真下に回転子４が位置するときの磁束の流れが滑らかになって、磁気抵抗が低くなり、磁気飽和の影響を緩和でき、磁気エネルギー変化が緩やかになることよりもたらされる。
同様に、Ａ＝０．１６３とした場合には、図６に示すように、Ａ×Ｂ＝０．０４（０．１６３×０．２５）のときに、実線図示のように、永久磁石１４の上底部角度θｍが電気角１０５度付近で大きな値のコギングトルクとなり、その後上底部角度θｍが増加するに応じて急激にコギングトルクが減少し、１３２度付近でコギングトルクが最小値となり、その後上底部角度θｍの増加に応じてコギングトルクが急激に増加する特性曲線となる。
【００２６】
また、Ａ×Ｂ＝０．０６（０．１６３×０．３５）のときには、破線図示のように、永久磁石１４の上底部角度θｍが電気角１０５度付近ではコギングトルクがＡ×Ｂを０．０４とした場合に比較して大幅に小さい値となり、その後上底部角度θｍの増加に応じて緩やかにコギングトルクが減少し、１３９度付近でコギングトルクが最小値となり、その後上底部角度θｍの増加に応じて比較的緩やかにコギングトルクが増加する特性曲線となる。
【００２７】
さらに、Ａ×Ｂ＝０．０８（０．１６３×０．５０）のときには、一点鎖線図示のように、永久磁石１４の上底部角度θｍが電気角１０５度付近ではコギングトルクがＡ×Ｂ＝０．０６の場合よりも小さい値となり、その後上底部角度θｍが１３３度付近でコギングトルクが最小値となり、その後上底部角度θｍが増加するに応じて緩やかにコギングトルクが増加する特性曲線となる。
【００２８】
さらにＡ×Ｂ＝０．１２（０．１６３×０．７５）のときには、二点鎖線図示のように、永久磁石１４の上底部角度θｍが電気角１０５度付近でＡ×Ｂ＝０．０８の場合よりもコギングトルクが小さい値となり、その後上底部角度θｍの増加に応じてコギングトルクが非常に緩やかに減少して１２２度付近で最小値となり、その後上底部角度θｍが増加するに応じてコギングトルクが緩やかに増加する特性曲線となる。
【００２９】
このように、Ａ＝０．１６３に設定した場合でも、Ｂを０．２５に設定した場合には、永久磁石１４の上底部角度θｍの変化に対するコギングトルクの変動幅が非常に大きいが、Ｂを０．３５以上〜０．７５以下に設定した場合には、永久磁石１４の上底部角度θｍの変化に対するコギングトルクの変化幅を小さく抑制することができ、低コギングトルク化を図ることができる。
【００３０】
さらに、Ａ＝０．１３８に設定した場合には、図７に示すように、Ａ×Ｂ＝０．０３（０．１３８×０．２５）に設定した場合には、実線図示のように、永久磁石１４の上底部角度θｍが電気角１０５度付近で大きな値のコギングトルクとなり、その後上底部角度θｍの増加に応じてコギングトルクが急激に減少し、１３１度付近でコギングトルクが最小値となり、その後上底部角度θｍの増加に応じてコギングトルクが急激に増加する特性曲線となる。
【００３１】
また、Ａ×Ｂ＝０．０７（０．１３８×０．５０）に設定した場合には、一点鎖線図示のように、永久磁石１４の上底部角度θｍが電気角１０５度付近でＡ×Ｂを０．０３とした場合のコギングトルクに比較して大幅に小さいコギングトルクとなり、その後上底部角度θｍの増加に応じてコギングトルクが緩やかに減少し、電気角１４１度付近でコギングトルクが最小値となり、その後上底部角度θｍの増加に応じて緩やかにコギングトルクが増加する特性曲線となる。
【００３２】
さらに、Ａ×Ｂ＝０．１０（０．１３８×０．７５）に設定した場合には、二点鎖線図示のように、永久磁石１４の上底部角度θｍが電気角１０５付近でＡ×Ｂ＝０．０７の場合よりも小さいコギングトルクとなり、その後上底部角度θｍの増加に応じたコギングトルクが緩やかに減少し、電気角１４９程度でコギングトルクが最小値となり、その後上底部角度θｍが増加するに応じて緩やかにコギングトルクが増加する特性曲線となる。
【００３３】
このＡ＝０．１３８に設定した場合において、Ｂ＝０．３５に設定する場合を省略しているが、この場合もＢ＝０．０７とした場合と略同様の特性をとなることが予測される。このＡ＝０．１３８とした場合も、Ｂ＝０．２５に設定する場合には永久磁石１４の上底部角度θｍの変化に対するコギングトルクの変動幅が大きく、Ａ×Ｂを０．７及び０．１０に設定する場合には永久磁石１４の上底部角度θｍの変化に対するコギングトルクの変動幅を小さく抑制することができ、低コギングトルク化を図ることができる。
【００３４】
このように、図５〜図７で明らかなように、Ａの値にかかわらずＢの値を０．３５以上０．７５以下に設定することにより、永久磁石１４の上底部角度θｍの変化に対するコギングトルクの変動幅を小さくして低コギングトルク化を図ることができると共に、回転子コア１３に固定した永久磁石１４の上底部角度θｍにバラツキがあってもコギングトルクを抑制することができ、回転子を製造する際に上底部角度θｍのバラツキを許容することができ、上底部角度θｍの管理を厳密に行う必要がなく、製造が容易となる。
【００３５】
このことは、Ａ×Ｂを０．０６以上で０．１４以下（０．０６≦Ａ×Ｂ≦０．１４）に設定した場合も同様であり、上記と同様の作用効果を得ることができる。ここで、Ｂを０．７５を超える値に設定すると、円弧状スロット部１１の形成が困難となる。
なお、上記実施形態においては、回転子４を回転子コア１３の表面に配置した表面磁石型回転子で構成した場合について説明したが、これに限定されるものではなく、永久磁石１４を回転子コア１３の表面に、永久磁石２２の表面が露出する状態で埋込んだ埋込磁石型回転子とすることもできる。
【００３６】
また、上記実施形態においては、本発明を固定子３の磁極ティース７及びスロット１０を９個とし、回転子４の永久磁石１４の極数を６とする回転機に適用した場合について説明したが、これに限定されるものではなく、永久磁石１４の極数を２ｎ（ｎは正の整数）としたときに、スロット数を３ｎとする回転機に本発明を適用することができる。
【符号の説明】
【００３７】
１…永久磁石型回転機、３…固定子、４…回転子、５…回転軸、６…ヨーク、７…磁極ティース、７ａ…磁脚部、７ｂ…鍔部、８…固定子コア、９…励磁コイル、１０…スロット、１１…円弧状スロット部、１３…回転子コア、１４…永久磁石、１５…台形波状着磁領域、１５ａ…上底部
【図１】
2010284024.tif 000003
【図２】
2010284024.tif 000004
【図３】
2010284024.tif 000005
【図４】
2010284024.tif 000006
【図５】
2010284024.tif 000007
【図６】
2010284024.tif 000008
【図７】
2010284024.tif 000009
【図８】
2010284024.tif 000010